(57)【特許請求の範囲】
【請求項１】
乾燥処理空間に向かって空気流を吹き出す噴出口と、前記噴出口と正対しない位置に固定されて、前記噴出口から吹き出された空気流によって前記乾燥処理空間にある手から吹き飛ばされた水滴を受ける水受部とを備え、前記乾燥処理空間は少なくとも前方に開口し、前記水受部は前記噴出口より後方に位置していることを特徴とするハンドドライヤー。
【請求項２】
乾燥処理空間に向かって空気流を吹き出す噴出口と、前記噴出口の吹き出し方向の延長上ではない位置に固定されて、前記噴出口から吹き出された空気流によって前記乾燥処理空間にある手から吹き飛ばされた水滴を受ける水受部とを備え、前記乾燥処理空間は少なくとも前方に開口し、前記水受部は前記噴出口の吹き出し方向の延長上より後方に位置していることを特徴とするハンドドライヤー。
【請求項３】
乾燥処理空間に向かって噴出孔から空気流を吹き出す噴出口と、前記噴出孔の中心軸の延長上ではない位置に固定されて、前記噴出口から吹き出された空気流によって前記乾燥処理空間にある手から吹き飛ばされた水滴を受ける水受部とを備え、前記乾燥処理空間は少なくとも前方に開口し、前記水受部は前記噴出口の噴出孔の中心軸の延長上より後方に位置していることを特徴とするハンドドライヤー。
【請求項４】
前記噴出口は外郭を形成するケーシングに設けられ、前後方向において、前記水受部は、前記ケーシングの前側端と後側端との間の１／２の位置より後側に配置されていることを特徴とする請求項１から請求項３のいずれか一つに記載のハンドドライヤー。
【請求項５】
乾燥処理空間に向かって空気流を吹き出す噴出口と、前記噴出口と正対しない位置に固定されて、前記噴出口から吹き出された空気流によって前記乾燥処理空間にある手から吹き飛ばされた水滴を受ける水受部とを備え、前記噴出口は外郭を形成するケーシングに設けられ、前後方向において、前記水受部は、前記ケーシングの前側端と後側端との間の１／２の位置より後側に配置されていることを特徴とするハンドドライヤー。
【請求項６】
乾燥処理空間に向かって空気流を吹き出す噴出口と、前記噴出口の吹き出し方向の延長上ではない位置に固定されて、前記噴出口から吹き出された空気流によって前記乾燥処理空間にある手から吹き飛ばされた水滴を受ける水受部とを備え、前記噴出口は外郭を形成するケーシングに設けられ、前後方向において、前記水受部は、前記ケーシングの前側端と後側端との間の１／２の位置より後側に配置されていることを特徴とするハンドドライヤー。
【請求項７】
乾燥処理空間に向かって噴出孔から空気流を吹き出す噴出口と、前記噴出孔の中心軸の延長上ではない位置に固定されて、前記噴出口から吹き出された空気流によって前記乾燥処理空間にある手から吹き飛ばされた水滴を受ける水受部とを備え、前記噴出口は外郭を形成するケーシングに設けられ、前後方向において、前記水受部は、前記ケーシングの前側端と後側端との間の１／２の位置より後側に配置されていることを特徴とするハンドドライヤー。
【発明の詳細な説明】
【技術分野】
【０００１】
本願発明は、化粧室、洗面所、手洗い場等での手洗い等において、使用者が手洗い後に水で濡れた手を乾燥させるためのハンドドライヤーに関する。
【背景技術】
【０００２】
従来のハンドドライヤーとして、例えば特許文献１には、手を挿抜可能な乾燥処理空間と、高速空気を吹出す噴出口と、噴出口からの高速空気流によって吹き飛ばされた水滴を回収する水受部とを備えたハンドドライヤーが記載されている。【０００３】
また、例えば特許文献２には、手を挿抜可能な乾燥処理空間と、高速空気流を吹出す噴出口と、噴出口からの高速空気流によって吹き飛ばされた水滴を回収する水受部とを備え、運転開始時には噴出口から吹き出す高速空気流の方向に水受部を位置させ、時間経過とともに噴出口から吹き出す高速空気流の方向に水受けが位置しないように、噴出口または水受部の位置を変化させるハンドドライヤーが記載されている。このハンドドライヤーでは、高速空気流によって、運転開始から始まる第１の乾燥過程において手に付着した大部分の水滴が吹き飛ばされ、第２の乾燥過程において手の表面の水分が蒸発させられる。そして第１の乾燥過程では、噴出口から吹き出す高速空気流の方向の延長上の位置に水受部があり、手から吹き飛ばされた水滴を水受部で受けている。また、第２の乾燥過程になると、手から吹き飛ばされて飛ぶ水滴がほとんど無く、手の表面に湿潤している水分を蒸発させるだけなので、水受部で水を受ける必要がない。そのため第２の乾燥過程では、噴出口からの高速空気流の方向の延長上に水受部が位置しないように噴出口または水受部の位置を変化させ、噴出口からの高速空気流と水受部とを直接衝突させないことで騒音の発生を大きく減少させていた。
【先行技術文献】
【特許文献】
【０００４】
【特許文献１】特開２００４−２９０５２９号公報（段落「００１７」、図２、図５）
【特許文献２】特開２００４−３２１４８５号公報（「請求項１」、段落「００１２」〜「００１３」、図１）
【発明の概要】
【発明が解決しようとする課題】
【０００５】
しかしながら特許文献１に記載された従来のハンドドライヤーでは、噴出口から吹き出す高速空気流の方向に水受部があるので、手に当たらなかった空気流はその風速があまり減衰しないまま水受部に当たってしまい騒音が発生するという問題があった。【０００６】
また、特許文献２に記載された従来のハンドドライヤーにおいても、運転開始からの第１の乾燥過程では、手から飛ばされた水滴を受けるために噴出口からの高速空気流の方向の延長上に水受部が位置しているので、特許文献１と同様に、手に当たらなかった高速空気流の風速があまり減衰しないまま水受部に当たってしまい騒音が発生するという問題があった。【０００７】
この発明は、上述のような課題を解決するためになされたもので、噴出口から吹き出された空気流によって手から剥離された水滴を水受部で受けるとともに、噴出口から吹き出された空気流と水受部との直接的な衝突を低減し、衝突に伴って発生する使用時の騒音を低減させたハンドドライヤーを得ることを目的とする。
【課題を解決するための手段】
【０００８】
この発明に係る請求項１に記載のハンドドライヤーは、乾燥処理空間に向かって空気流を吹き出す噴出口と、噴出口から吹き出された空気流によって乾燥処理空間にある手から吹き飛ばされた水滴を受ける水受部とを備え、噴出口から空気流が吹き出されている間、水受部と噴出口とが正対していないものである。【０００９】
この発明に係る請求項２に記載のハンドドライヤーは、乾燥処理空間に向かって空気流を吹き出す噴出口と、噴出口から吹き出された空気流によって乾燥処理空間にある手から吹き飛ばされた水滴を受ける水受部とを備え、噴出口から空気流が吹き出されている間、噴出口の吹き出し方向の延長上に水受部が位置しないものである。【００１０】
この発明に係る請求項３に記載のハンドドライヤーは、乾燥処理空間に向かって空気流を吹き出す噴出口と、噴出口から吹き出された空気流によって乾燥処理空間にある手から吹き飛ばされた水滴を受ける水受部とを備え、噴出口から空気流が吹き出されている間、噴出口の噴出孔の中心軸の延長上に水受部が位置しないものである。
【発明の効果】
【００１１】
この発明によって、手から剥離された水滴を効率よく受けるとともに噴出口から吹き出された空気流との直接的な衝突を低減した水受部を実現し、水滴の効率な捕集と騒音の低減を両立したハンドドライヤーを得ることができる。
【図面の簡単な説明】
【００１２】
【図１】この発明の実施の形態１に示すハンドドライヤーの斜視図
【図２】この発明の実施の形態１に示すハンドドライヤーの右側面図
【図３】この発明の実施の形態１に示すハンドドライヤーの右側面断面図
【図４】この発明の実施の形態１に示すハンドドライヤーで、図３における噴出口の拡大断面図
【図５】この発明の実施の形態１に示すハンドドライヤーで、使用者が使用している状態を示す説明図
【図６】この発明の実施の形態１に示すハンドドライヤーの別の実施例を示す右側面図
【図７】この発明の実施の形態１に示すハンドドライヤーの別の実施例を示す右側面図
【図８】この発明の実施の形態１に示すハンドドライヤーで、図６における噴出口の右側面断面を拡大した拡大断面図
【図９】この発明の実施の形態１に示すハンドドライヤーで、図７における噴出口の右側面断面を拡大した拡大断面図
【図１０】この発明の実施の形態２に示すハンドドライヤーの右側面図
【図１１】この発明の実施の形態２に示すハンドドライヤーの斜視図
【発明を実施するための形態】
【００１３】
実施の形態１．
本実施の形態１は、壁に取り付け可能なハンドドライヤーである。図１〜図３はこの発明の実施の形態１に示すハンドドライヤーを示し、図１はハンドドライヤーの外観を示す斜視図、図２は右側面図、図３は右側面断面図である。先ず、本実施の形態１で説明する前後方向、左右方向および上下方向について定義する。前後方向については、ハンドドライヤーの正面側（使用者側）を「前」、正面側と反対側を「後」とする。左右方向については、ハンドドライヤーの正面の前方に立った使用者からハンドドライヤーを見て、右側を「右」、左側を「左」とする。上下方向については、上側を「上」、下側を「下」とする。
【００１４】
図１〜図３において、ケーシング１はハンドドライヤーの上側の外郭を形成している。ケーシング１の下方には、前方に乾燥処理空間入口３ａを備えた乾燥処理空間３が設けられている。乾燥処理空間３は、前方および左右の側方が開放され手を自在に挿抜できる空間である。水受部４は、ケーシング１の下面１ａに繋がり、下面１ａから下方へ延出した面形状の水受上部４ａ、水受上部４ａの下端に繋がり前方へ向かって延出した面形状の水受下部４ｂ、および水受上部４ａ並びに水受下部４ｂのそれぞれの端縁部から上方へ延出した面形状の防壁構造４ｃで構成されている。そして水受上部４ａ、水受下部４ｂおよび防壁構造４ｃが一体で形成されている。使用時において、乾燥処理空間３に挿入された手から吹き飛ばされた水滴は、水受部４の水受上部４ａおよび水受下部４ｂで受けられ、水受上部４ａおよび水受下部４ｂで受け止めた水が防壁構造４ｃによって水受上部４ａおよび水受下部４ｂの端部から外へ流れ出ないように堰の役目を果たしている。そして、乾燥処理空間３と水受部４との位置関係は、乾燥処理空間３の奥（後方）に水受上部４ａが設けられ、乾燥処理空間３の下方の一部には水受下部４ｂが設けられている。したがって、乾燥処理空間３はケーシング１の下面１ａおよび水受部４によって一部が囲われ、それ以外は外へ開放した空間となっている。
【００１５】
また、水受下部４ｂは前方斜め下方に向かってわずかに傾斜していて、その最下部に排水口６が設けられている。水受下部４ｂの下方には、排水口６から滴下する水を貯留する開放容器構造のドレン容器７が水受部４の水受下部４ｂに抜き差し自在に取り付けられている。
【００１６】
ケーシング１の下面１ａの前方側の端付近には、噴出口１０が設けられ、下面１ａから下方へ突出している。また、ケーシング１の左右の両側面には吸気口８が設けられている。またケーシング１の内部には、吸気口８と噴出口１０を連通する風路５ａおよび風路５ｂが設けられ、風路５ａと風路５ｂとの間に高圧空気流を発生させる高圧空気流発生装置９が組み込まれている。
【００１７】
噴出口１０は、鉛直方向に沿って下方に向かって開口している。噴出口１０と水受部４との位置関係について説明する。水受上部４ａ、水受下部４ｂおよび防壁構造４ｃのいずれもが、噴出口１０の吹き出し方向（高速空気流の吹き出し方向）の延長上の位置よりも前後方向において後方にずれて位置している。つまり、噴出口１０の吹き出し方向を延長した延長線と水受部４とが交差せず、噴出口１０の吹き出し方向の延長上の位置に水受部４が位置せず、互いにずれている位置関係になっている。ここで、噴出口１０の吹き出し方向とは、噴出口１０から高速空気流を吹き出す方向を意味し、噴出口１０から吹き出された直後の空気流の方向と同等である。
【００１８】
図４は、図３における噴出口１０を拡大した側面断面図である。噴出孔１０ａは、噴出口１０から吹き出される空気流が通る狭い通路で、通過する空気流の上流側から下流側（出口）になるほど狭くなっている。内壁１０ｂおよび内壁１０ｃは、噴出口１０の噴出孔１０ａを前後方向かつ上下方向に延びる平面に平行に断面を切った側面断面において、前後方向で対向する噴出孔１０ａの内壁である。図４に示すように、内壁１０ｂと内壁１０ｃとの間を通り、内壁１０ｂおよび内壁１０ｃまでの距離が互いにほぼ等しくなる点を結んで得られる線状の線を中心軸Ａとする。水受上部４ａ、水受下部４ｂおよび防壁構造４ｃのいずれもが、噴出孔１０ａの中心軸Ａの延長上の位置よりも前後方向において後方にずれて位置している。
【００１９】
そして、噴出口１０の噴出孔１０ａの出口側の開口端である開口部は水受部４とは正対して向かい合わず、前後方向にずれている。そのため、ハンドドライヤーがトイレなど部屋の壁に取り付けられた状態では、噴出口１０の開口部はその部屋の床面と正対して向かい合っており、噴出口１０の吹き出し方向はその床面に向いている。つまり、高速空気流の吹き出し方向である鉛直方向に沿って投影すると、噴出口１０の開口部の位置と水受部４の位置とが重なることがなく、噴出口１０の開口部よりも水受部４が後方にずれて位置している。
【００２０】
次にハンドドライヤーが動作したときの空気の流れおよび水滴の流れについて説明する。図５は、本実施の形態１のハンドドライヤーを使用者が使用している状態を示す説明図である。図５に示すように、トイレなどの部屋の壁５０に本実施の形態１のハンドドライヤーが設置されている。そして、使用者がハンドドライヤーの正面の前方に立ち、濡れた手を乾燥処理空間入口３ａから乾燥処理空間３の中へ挿入すると、乾燥処理空間３における手の有無を検知する手検知センサー（図示せず）が手を検知する。そして手検知センサー（図示せず）の手検知によって高圧空気流発生装置９が動作し、外部の空気が吸気口８から風路５ａの中へ吸い込まれる。その吸い込まれた空気は高圧空気流発生装置９で高圧空気流に変換される。そして、変換された高圧空気流は風路５ｂを通り、噴出口１０で高速空気流に変換され、噴出口１０から６０ｍ／ｓ以上の高速空気流として乾燥処理空間３に向かって鉛直方向に沿って下方へ噴出される。尚、高速空気流の速度については、高速空気流の速度の増加にともない噴出口１０から発生する噴流騒音も増加するが、噴流騒音の増加よりも乾燥時間の短縮を最優先する場合には、高速空気流の速度を１００ｍ／ｓ以上、さらに好ましくは１５０ｍ／ｓ以上の速度とするとよい。
【００２１】
ハンドドライヤーは、手を挿入しやすいように乾燥処理空間３が使用者の肩よりも低い位置になるように設置されるので、前方から乾燥処理空間３へ挿入された手は、自然に手首より指先の位置が低くなるように傾斜し、後方斜め下方（後方と下方との間の斜め方向）へ向かう姿勢になっている。そして、噴出口１０から鉛直方向の下方へ吹き出した高速空気流は、後方斜め下方に向かって傾斜して挿入されている手に対して傾斜した角度で衝突することになる。そのため、衝突した高速空気流の大部分は、手に沿って指先方向へ進む空気流、つまり後方斜め下方へ向かう空気流へ変化する。そして、後方斜め下方の方向には水受部４があり、後方斜め下方へ向かう空気流は水受部４に向かって流れる。また、手に付着している水も手に衝突した空気流によって吹き飛ばされ、後方斜め下方へ向かう空気流によって水受部４に向かって吹き飛ばされる。水受部４へ向かって吹き飛ばされた水滴は、水受部４で受け止められ、自重によって水受部４の表面を流下し、排水口６を通ってドレン容器７に収容される。
【００２２】
噴出口１０は左右方向に細長いスロット状の開口部を有し、噴出口１０から吹き出される高速空気流は左右方向に細長く延びて形成されている。そして噴出口１０から吹き出される高速空気流は、左右方向において、挿入される手の幅に対して十分な幅で形成されているので、挿入される手の幅サイズおよび挿入される手の左右位置に影響されずに、挿入される手に十分に高速空気流が当たるように配慮されている。手に付着している水は、噴出口１０から吹き出される高速空気流によって手から剥離され吹き飛ばされる。そして、噴出口１０から高速空気流が吹き出されているときに、使用者が乾燥処理空間３に挿入している手をゆっくり引き抜くことで、挿入されている手の表面において、噴出口１０からの高速空気流の衝突位置が手首側から指先側へと徐々に移動し、手の全体の水が吹き飛ばされる。
【００２３】
尚、噴出口１０の左右方向の長さは、片手を乾燥させるだけであれば８０ｍｍ以上、両手を同時に乾燥させるのであれば、１５０ｍｍ以上、更に好ましくは２００ｍｍ以上あるとよい。もちろん、噴出口１０が左右方向に複数に分割されている場合は、複数に分割された噴出口１０をまとめて全体を一つと考え、その全体の左右の長さと考える。また、噴出口１０のスロット幅は高速空気流を得るために２ｍｍ以下が好ましい。
【００２４】
一方、噴出口１０から吹き出される高速空気流において、挿入されている手に衝突しなかった高速空気流は、手と衝突しないのでその風向きが変更されず風速減衰も少なく、そのまま鉛直方向の下方へ進む。そして、その進行方向には水受部４が無いので、水受部４に衝突することなく水受部４の近くを通り過ぎ、そのまま床面に向かって鉛直方向の下方へ流れる。
【００２５】
以上の構成のハンドドライヤーによれば、水受部４、つまり、水受上部４ａ、水受下部４ｂおよび防壁構造４ｃのいずれもが、噴出口１０の吹き出し方向（高速空気流の吹き出し方向）の延長上の位置よりも前後方向において後方にずれて位置している。そして、噴出口１０の吹き出し方向を延長した延長線と水受部４とが交差せず、水受部４が噴出口１０の吹き出し方向の延長上の位置に位置せず、後方にずれて位置している。そして、水受部４が、噴出孔１０ａの中心軸Ａの延長上の位置よりも前後方向において後方にずれて位置している。そして、噴出口１０の噴出孔１０ａの出口側の開口端である開口部は、水受部４とは正対して向かい合わず、前後方向にずれている。
【００２６】
そのため、噴出口１０から吹き出された高速空気流において、挿入されている手と衝突せず風向きが変わらなかった高速空気流（例えば挿入されている手の位置よりも左右方向の外側に位置する高速空気流）の進行方向上に水受部４が位置していないので、手と衝突しなかった高速空気流は水受部４にもほとんど衝突することなくそのまま水受部４の前方近くを通過する。このように、噴出口１０から吹き出される高速空気流において、手に衝突しなかった高速空気流が直接的に水受部４と衝突しないので、高速空気流と水受部４との衝突よって発生する騒音を抑えることができ、ハンドドライヤーを使用するときの騒音を低減することができる。特に手と衝突せず風向きが変わらなかった高速空気流は、衝突による風速減衰がなく高速の状態を維持しているので、水受部４と衝突してしまうと顕著に騒音が発生してしまうが、水受部４との直接的な衝突を避けることで効果的に騒音を低減できる。
【００２７】
一方、噴出口１０から鉛直方向の下方に吹き出された高速空気流において、挿入されている手と衝突した高速空気流は、その衝突によって風向きが変更され、手に沿って指先方向へ進む後方斜め下方へ向かう空気流となる。そして、高速空気流との衝突によって手から剥離された水滴は、後方斜め下方へ向かう風によって運ばれ、水受部４へ向かって吹き飛ばされ、水受部４で受け止められる。このように、噴出口１０の開口部と水受部４とが正対していなくても、また中心軸Ａの延長上の位置に水受部４が配置されていなくても、また噴出口１０の吹き出し方向の延長上の位置に水受部４が配置されていなくても、水滴が飛ばされる方向上に水受部４が配置されているので、水受部４で手から飛んだ水滴を効果的に受け止めてドレン容器７に回収することができ、床を濡らし汚してしまうことがない。
【００２８】
したがって、本願発明のハンドドライヤーによれば、手から飛んだ水滴を水受部４で効果的に受け止めるとともに、手と衝突せずに手の乾燥に寄与しなかった高速空気流と水受部４とが直接衝突することを防ぐことで、水受部４での水滴の回収能力を損なわずに水受部４と高速空気流とが衝突して発生する騒音を低減することができる。言い換えれば、水受部４は、手から飛んだ水滴を受け止め、噴出口１０から吹き出された高速空気流を直接的にほとんど受けないというおおまかな選択性をもたせることができ、水受部４によって水滴の回収と騒音の低減を両立することができる。
【００２９】
また、ハンドドライヤーでは、乾燥処理空間３から手が抜かれると手検知センサー（図示せず）によって高圧空気流発生装置９が自動で停止され、噴出口１０からの高速空気流の吹き出しが停止される。指先まで確実に乾燥させるためには、挿入された手の指先まで確実に高速空気流を当てた後に高速空気流を停止させる必要があるが、手検知センサー（図示せず）で指先の位置を正確に検知することは難しい。そこで、一般的に、手検知センサー（図示せず）により乾燥処理空間３から手が抜かれたと検知した後も、０．５〜２秒程度の時間はそのまま高速空気流の吹き出しを継続させ、その後、高速空気流の吹き出しを停止させるという遅延動作を設けることで、指先まで確実に高速空気流を当ててから高速空気流の吹き出しを止めている。
【００３０】
このような遅延動作では、手が乾燥処理空間３から抜かれた後、手が乾燥処理空間３へ挿入されていない状態で噴出口１０から高速空気流が吹き出し続ける状態が生じてしまい、使用者が乾燥処理を完了した後も、少しの間、ハンドドライヤーの運転に伴う騒音が継続することになる。使用者にとっては、自身の動作に伴う乾燥処理時の騒音は許容しやすいが、乾燥完了後の騒音は使用者の乾燥処理とは直接関係ないので、騒音発生が０．５〜２秒程度の短い時間であっても許容し難く、非常に不快と感じる。
【００３１】
しかし、本願発明では、上述した遅延動作を設け、手が乾燥処理空間３へ挿入されていない状態で噴出口１０から高速空気流が吹き出される状態が生じても、高速空気流が直接的に水受部４と衝突しないので、使用者にとって乾燥処理に直接関係のない不快な騒音を低減することができる。
【００３２】
尚、本実施の形態１では噴出口１０の高速空気流の吹き出し方向が、鉛直方向に沿って下方に向いたものを示したが、噴出口１０の高速空気流の吹き出し方向はこれに限定されるものではなく、下方であれば前後左右にいずれかに傾斜した角度であってもよい。例えば、図６および図７は、本実施の形態１のハンドドライヤーで噴出口１０の高速空気流の吹き出し方向の別の実施例を示す側面図、図８は、図６における噴出口１０を部分拡大した側面断面図、図９は、図７における噴出口１０を部分拡大した側面断面図である。図６および図８では、噴出口１０の吹き出し方向が、鉛直方向に対して前方斜め下方（前方と下方との間の斜め方向）へ向き、図７および図９では、噴出口１０の吹き出し方向が、鉛直方向に対して後方斜め下方（後方と下方との間の斜め方向）へ向いている。
【００３３】
図６、図７、図８および図９に示すハンドドライヤーでは、上述した効果があるとともに、更に、図６および図８では、噴出口１０の吹き出し方向が、鉛直方向に対して前方斜め下方（前方と鉛直下方との間の斜め方向）へ向いているので、ハンドドライヤーの前後方向のサイズよりも乾燥処理空間３の前後方向のサイズを大きくすることができる。そのため、挿入される手に対して乾燥処理空間３の前後方向のサイズを十分確保したまま、ハンドドライヤーの前後方向のサイズを小さくすることができる。また、図７および図９のハンドドライヤーでは、使用者への風の跳ね返りを更に低減できる。
【００３４】
尚、本実施の形態１では、前後方向において、ケーシング１の下面１ａの前側端と後側端との間の距離Ｌ１、水受部４の前側端とケーシング１の下面１ａの後側端との間の距離Ｌ２とし、Ｌ２＞１／２×Ｌ１を満足するように距離Ｌ１の１／２の位置より前側に水受部４を配置した例を示したが、図９に示すように、噴出口１０の吹き出し方向を更に斜め後方側へ角度をつけ、Ｌ２≦１／２×Ｌ１を満足させ、ケーシング１の下面１ａの前側端と後側端との間の距離Ｌ１の１／２の位置より後側に水受部４を配置すれば、水受部４の前方への突出長さは更に短くなる。そのため、使用者が手を乾燥処理空間３へ挿入した場合、使用者からの目視では、ケーシング１によって水受部４が見え難くなるため、乾燥処理空間３を広く感じることで更に乾燥処理空間３への手挿入時の心理的な圧迫感も低減できる。
【００３５】
実施の形態２．
本実施の形態２は、壁に取り付け可能なハンドドライヤーである。図１０はこの発明の実施の形態２に示すハンドドライヤーを壁５０に取り付けた状態を示す右側面図である。図１１は、実施の形態２に示すハンドドライヤーを壁５０に取り付けた状態を示す斜視図である。図１０および図１１において、ケーシング１には、実施の形態１と同様に、吸気口８、風路５ａ、風路５ｂ、高圧空気流発生装置９および噴出口１０が備えられているが、ここではケーシング１の内部に設けられている風路５ａ、風路５ｂおよび高圧空気流発生装置９の図示を省略している。ケーシング１、吸気口８、風路５ａ、風路５ｂ、高圧空気流発生装置９および噴出口１０をまとめて一つの送風機能を有したユニットとして送風部１００とする。本実施の形態２では、ケーシング１と水受部４とは互いに独立している。つまり送風部１００と水受部４とは互いに独立している。したがって、ハンドドライヤーを取り付ける壁５０に、送風部１００と水受部４とが互いに独立して取り付けられている。そして、送風部１００の下方に水受部４が配置されている。水受部４の下には水受部４で受けた水を収容するドレン容器７が水受部４に抜き差し可能に取り付けられている。実施の形態１に対し、送風部１００と水受部４が互いに独立している点が相違するのみであり、それ以外の構成は実施の形態１と同一である。
【００３６】
以上の構成のハンドドライヤーによれば、実施の形態１と同様の効果があるとともに、ハンドドライヤーを取り付ける環境および使用者に応じて、水受部４の位置を調整して設置することができる。
【００３７】
尚、図３〜図１０の図中に記載した矢印は、空気流の方向を示している（但し、図７のＬ１およびＬ２の寸法を表す矢印は除く）。
【符号の説明】
【００３８】
１  ケーシング、１ａ  下面、３  乾燥処理空間、３ａ  乾燥処理空間入口、４  水受部、４ａ  水受上部、４ｂ  水受下部、４ｃ  防壁構造、５ａ，５ｂ  風路、６  排水口、７  ドレン容器、８  吸気口、９  高圧空気流発生装置、１０  噴出口、１０ａ  噴出孔、１０ｂ，１０ｃ  内壁、５０  壁、１００  送風部。
【図１】
0006501871.tif 000002
【図２】
0006501871.tif 000003
【図３】
0006501871.tif 000004
【図４】
0006501871.tif 000005
【図５】
0006501871.tif 000006
【図６】
0006501871.tif 000007
【図７】
0006501871.tif 000008
【図８】
0006501871.tif 000009
【図９】
0006501871.tif 000010
【図１０】
0006501871.tif 000011
【図１１】
0006501871.tif 000012